(57)【要約】【課題】  手動で地域情報等を入力することなく、放送エリア毎に異なる番組表情報を容易に取得可能な携帯情報端末装置を提供する。【解決手段】  制御部１７は位置測定部１５が位置取得用アンテナ１２を通して自装置の現在位置情報を取得すると、その現在位置情報を基に現在位置の放送エリアで用いられているＥＰＧ情報を、通信部１４が通信用アンテナ１１を通してインタネットに接続することで取得したり、あるいはＴＶ通信部１６がテレビ放送受信用アンテナ１３を通してＥＰＧ用チャネルから取得する。携帯電話装置１の使用者は制御部１７が取得したＥＰＧ情報を表示部１９に表示すると、そのＥＰＧ情報の中から所望の番組を操作部２０を通して選択することで、その所望の番組がＴＶ通信部１６にてテレビ放送受信用アンテナ１３を通して受信されて表示部１９に表示される。【選択図】      図１
2006295261.tif 000002
【特許請求の範囲】
【請求項１】
少なくともテレビの受信機能を持ちかつ当該テレビの電子番組表情報を電子番組表用チャネルにて受信する携帯情報端末装置であって、位置情報を取得する取得手段と、前記取得手段で取得した位置情報を基に前記電子番組表情報を少なくとも前記電子番組表用チャネル及びインタネットのいずれかを介して入手する入手手段とを有することを特徴とする携帯情報端末装置。
【請求項２】
前記取得手段で取得した位置情報の変化を検出する手段を含み、
前記入手手段は、前記取得手段で取得した位置情報の変化が検出された時に優先的に前記インタネットに接続して前記電子番組表情報を入手することを特徴とする請求項１記載の携帯情報端末装置。
【請求項３】
前記入手手段は、前記テレビの視聴中に前記電子番組表情報の入手を行わないことを特徴とする請求項１または請求項２記載の携帯情報端末装置。
【請求項４】
前記入手手段は、前記テレビの視聴中に優先的に前記インタネットに接続することで前記電子番組表情報を入手することを特徴とする請求項１から請求項３のいずれか記載の携帯情報端末装置。
【請求項５】
前記入手手段が前記電子番組表情報を正常に受信することができなかった場合、前記インタネットに接続することで前記電子番組表情報を入手することを特徴とする請求項１から請求項４のいずれか記載の携帯情報端末装置。
【請求項６】
前記入手手段が前記電子番組表情報を正常に受信することができなかった場合、前記取得手段が取得した位置情報が正しいかどうか判定する手段を含み、
前記入手手段は、その位置情報が正しくないと判定された時に前記インタネットに接続することで前記電子番組表情報を入手することを特徴とする請求項１から請求項５のいずれか記載の携帯情報端末装置。
【請求項７】
前記取得手段は、自端末の位置登録エリアに変化がない場合、前記位置情報の取得を行わないことを特徴とする請求項１から請求項６のいずれか記載の携帯情報端末装置。
【請求項８】
前記取得手段が取得した位置情報を基に前記テレビの受信チャネルのプリセットを行う手段を含むことを特徴とする請求項１から請求項７のいずれか記載の携帯情報端末装置。
【請求項９】
前記テレビの放送エリアの境界となった場合、全てのチャネルをスキャンして受信可能なチャネルを検索する手段を含み、その検索された受信可能な電子番組表用チャネルで現在使用している前記電子番組表用チャネルを更新することを特徴とする請求項１から請求項８のいずれか記載の携帯情報端末装置。
【請求項１０】
使用する電子番組表用チャネルが受信可能かどうかを判定する手段を含み、
前記入手手段は、前記使用する電子番組表用チャネルが受信可能と判定された時に前記電子番組表用チャネルを介して前記電子番組表情報を入手することを特徴とする請求項１から請求項９のいずれか記載の携帯情報端末装置。
【請求項１１】
前記入手手段をスケジュール機能とリンクさせ、前記取得手段が取得した位置情報が行き先の時にこの行き先での電子番組表情報を入手することを特徴とする請求項１から請求項１０のいずれか記載の携帯情報端末装置。
【請求項１２】
少なくともテレビの受信機能を持ちかつ当該テレビの電子番組表情報を電子番組表用チャネルにて受信する携帯情報端末装置に用いる電子番組表取得方法であって、前記携帯情報端末装置が、位置情報を取得する取得処理と、前記取得処理で取得した位置情報を基に前記電子番組表情報を少なくとも前記電子番組表用チャネル及びインタネットのいずれかを介して入手する入手処理とを実行することを特徴とする電子番組表取得方法。
【請求項１３】
前記携帯情報端末装置が、前記取得処理で取得した位置情報の変化を検出する処理を実行し、
前記入手処理において、前記取得処理で取得した位置情報の変化が検出された時に優先的に前記インタネットに接続して前記電子番組表情報を入手することを特徴とする請求項１２記載の電子番組表取得方法。
【請求項１４】
前記入手処理において、前記テレビの視聴中に前記電子番組表情報の入手を行わないことを特徴とする請求項１２または請求項１３記載の電子番組表取得方法。
【請求項１５】
前記入手処理において、前記テレビの視聴中に優先的に前記インタネットに接続することで前記電子番組表情報を入手することを特徴とする請求項１２から請求項１４のいずれか記載の電子番組表取得方法。
【請求項１６】
前記入手処理において前記電子番組表情報を正常に受信することができなかった場合、前記インタネットに接続することで前記電子番組表情報を入手することを特徴とする請求項１２から請求項１５のいずれか記載の電子番組表取得方法。
【請求項１７】
前記携帯情報端末装置が、前記入手処理において前記電子番組表情報を正常に受信することができなかった場合、前記取得処理で取得した位置情報が正しいかどうか判定する処理を実行し、
前記入手処理において、その位置情報が正しくないと判定された時に前記インタネットに接続することで前記電子番組表情報を入手することを特徴とする請求項１２から請求項１６のいずれか記載の電子番組表取得方法。
【請求項１８】
前記取得処理において、前記携帯情報端末装置の位置登録エリアに変化がない場合、前記位置情報の取得を行わないことを特徴とする請求項１２から請求項１７のいずれか記載の電子番組表取得方法。
【請求項１９】
前記携帯情報端末装置が、前記取得処理で取得した位置情報を基に前記テレビの受信チャネルのプリセットを行う処理を実行することを特徴とする請求項１２から請求項１８のいずれか記載の電子番組表取得方法。
【請求項２０】
前記携帯情報端末装置が、前記テレビの放送エリアの境界となった場合、全てのチャネルをスキャンして受信可能なチャネルを検索する処理を実行し、その検索された受信可能な電子番組表用チャネルで現在使用している前記電子番組表用チャネルを更新することを特徴とする請求項１２から請求項１９のいずれか記載の電子番組表取得方法。
【請求項２１】
前記携帯情報端末装置が、使用する電子番組表用チャネルが受信可能かどうかを判定する処理を実行し、
前記入手処理において、前記使用する電子番組表用チャネルが受信可能と判定された時に前記電子番組表用チャネルを介して前記電子番組表情報を入手することを特徴とする請求項１２から請求項２０のいずれか記載の電子番組表取得方法。
【請求項２２】
前記入手処理をスケジュール処理とリンクさせ、前記取得処理で取得した位置情報が行き先の時にこの行き先での電子番組表情報を入手することを特徴とする請求項１２から請求項２１のいずれか記載の電子番組表取得方法。
【請求項２３】
少なくともテレビの受信機能を持ちかつ当該テレビの電子番組表情報を電子番組表用チャネルにて受信する携帯情報端末装置に用いる電子番組表取得方法のプログラムであって、コンピュータに、位置情報を取得する取得処理と、前記取得処理で取得した位置情報を基に前記電子番組表情報を少なくとも前記電子番組表用チャネル及びインタネットのいずれかを介して入手する入手処理とを実行させるためのプログラム。
【発明の詳細な説明】
【技術分野】
【０００１】
本発明は携帯情報端末装置及びそれに用いる電子番組表取得方法並びにそのプログラムに関し、特にテレビ受信機能を持つ携帯情報端末装置におけるＥＰＧ（Ｅｌｅｃｔｒｉｃ  Ｐｒｏｇｒａｍ  Ｇｕｉｄｅ：電子番組表）情報の取得方法に関する。
【背景技術】
【０００２】
近年、携帯電話機を代表とする携帯情報端末装置においては、多機能化に伴って、通話機能以外にも、電子メール機能、インタネット接続機能、カメラ機能、テレビ電話機能等が搭載されるようになっており、テレビやラジオの受信機能も搭載されてきている（例えば、特許文献１参照）。
【０００３】
一方、テレビの受信機能については、パーソナルコンピュータ等へのテレビ機能の搭載、ハードディスクやＤＶＤ（Ｄｉｇｉｔａｌ  Ｖｅｒｓａｔｉｌｅ  Ｄｉｓｃ）へのテレビ番組の録画装置の普及に伴って、インタネットを通してテレビ番組表の情報（ＥＰＧ情報）も取得可能となってきており、現在、ＥＰＧ情報を用いて各種サービスが行われている。
【０００４】
【特許文献１】特開平０８−１６２９０９号公報
【発明の開示】
【発明が解決しようとする課題】
【０００５】
しかしながら、上述した従来の携帯情報端末装置では、ＴＶ（テレビジョン）の放送エリアが異なると、ＥＰＧ情報、ＥＰＧ放送チャネル（ＣＨ）が異なるため、ＥＰＧ情報を取得するために、ユーザが手動で位置情報等を設定する必要がある。この場合、従来の携帯情報端末装置では、携帯電話機のように頻繁に移動すると、移動先でユーザが毎回位置情報等を入力するのが不便である。
【０００６】
また、上記の特許文献１には、位置情報を基にその位置で受信可能なテレビやラジオのチャネルを合わせる技術が記載されているが、放送エリア毎に異なる番組表情報を容易に取得することはできない。
【０００７】
そこで、本発明の目的は上記の問題点を解消し、手動で地域情報等を入力することなく、放送エリア毎に異なる番組表情報を容易に取得することができる携帯情報端末装置及びそれに用いる電子番組表取得方法並びにそのプログラムを提供することにある。
【課題を解決するための手段】
【０００８】
本発明による携帯情報端末装置は、少なくともテレビの受信機能を持ちかつ当該テレビの電子番組表情報を電子番組表用チャネルにて受信する携帯情報端末装置であって、位置情報を取得する取得手段と、前記取得手段で取得した位置情報を基に前記電子番組表情報を少なくとも前記電子番組表用チャネル及びインタネットのいずれかを介して入手する入手手段とを備えている。
【０００９】
本発明による電子番組表取得方法は、少なくともテレビの受信機能を持ちかつ当該テレビの電子番組表情報を電子番組表用チャネルにて受信する携帯情報端末装置に用いる電子番組表取得方法であって、前記携帯情報端末装置が、位置情報を取得する取得処理と、前記取得処理で取得した位置情報を基に前記電子番組表情報を少なくとも前記電子番組表用チャネル及びインタネットのいずれかを介して入手する入手処理とを実行している。
【００１０】
本発明による電子番組表取得方法のプログラムは、少なくともテレビの受信機能を持ちかつ当該テレビの電子番組表情報を電子番組表用チャネルにて受信する携帯情報端末装置に用いる電子番組表取得方法のプログラムであって、コンピュータに、位置情報を取得する取得処理と、前記取得処理で取得した位置情報を基に前記電子番組表情報を少なくとも前記電子番組表用チャネル及びインタネットのいずれかを介して入手する入手処理とを実行させている。
【００１１】
すなわち、本発明の第１の携帯情報端末装置は、少なくともテレビの受信機能を持ちかつ当該テレビの電子番組表（ＥＰＧ：Ｅｌｅｃｔｒｉｃ  Ｐｒｏｇｒａｍ  Ｇｕｉｄｅ）情報を電子番組表用チャネルにて受信する端末において、位置情報を取得する取得手段と、取得手段で取得した位置情報を基に電子番組表情報を少なくとも電子番組表用チャネル及びインタネットのいずれかを介して入手する入手手段とを有することを特徴とする。
【００１２】
本発明の第２の携帯情報端末装置は、上記の構成のほかに、取得手段で取得した位置情報の変化を検出する手段を含み、取得した位置情報の変化が検出された時に入手手段が優先的にインタネットに接続して電子番組表情報を入手することを特徴とする。
【００１３】
本発明の第３の携帯情報端末装置は、上記の構成において、テレビの視聴中に入手手段が電子番組表情報の取得を行わないことを特徴とする。
【００１４】
本発明の第４の携帯情報端末装置は、上記の構成において、テレビの視聴中に入手手段が優先的にインタネットに接続することで電子番組表情報を入手することを特徴とする。
【００１５】
本発明の第５の携帯情報端末装置は、上記の構成において、入手手段が電子番組表情報を正常に受信することができなかった場合、インタネットに接続することで電子番組表情報を入手することを特徴とする。
【００１６】
本発明の第６の携帯情報端末装置は、上記の構成のほかに、入手手段が電子番組表情報を正常に受信することができなかった場合、取得手段が取得した位置情報が正しいかどうか判定する手段を含み、位置情報が正しくないと判定した時に入手手段がインタネットに接続することで電子番組表情報を入手することを特徴とする。
【００１７】
本発明の第７の携帯情報端末装置は、上記の構成において、自端末の位置番号に変化がない場合、取得手段が位置情報の取得を行わないことを特徴とする。
【００１８】
本発明の第８の携帯情報端末装置は、上記の構成のほかに、取得手段が取得した位置情報を基にテレビの受信チャネルのプリセットを行う手段を含むことを特徴とする。
【００１９】
本発明の第９の携帯情報端末装置は、上記の構成のほかに、テレビの放送エリアの境界となった場合、全てのチャネルをスキャンして受信可能なチャネルを検索する手段を含み、受信可能な電子番組表用チャネルを更新することを特徴とする。
【００２０】
本発明の第１０の携帯情報端末装置は、上記の構成のほかに、使用する電子番組表用チャネルが受信可能かどうかを判定する手段を含み、受信可能と判定された時に入手手段が電子番組表用チャネルを介して電子番組表情報を入手することを特徴とする。
【００２１】
本発明の第１１の携帯情報端末装置は、上記の構成において、入手手段をスケジュール機能とリンクさせることで、取得手段が取得した位置情報が行き先の時にこの行き先での電子番組表情報を入手することを特徴とする。
【００２２】
これによって、本発明の携帯情報端末装置では、上記のように、ユーザが手動で地域情報等を入力することなく、電子番組表情報を取得することが可能となる。
【発明の効果】
【００２３】
本発明は、以下に述べるような構成及び動作とすることで、手動で地域情報等を入力することなく、放送エリア毎に異なる番組表情報を容易に取得することができるという効果が得られる。
【発明を実施するための最良の形態】
【００２４】
次に、本発明の実施の形態について図面を参照して説明する。図１は本発明の実施の形態による携帯電話装置の構成例を示すブロック図である。図１において、本発明の実施の形態による携帯電話装置１は通信用アンテナ１１と、位置取得用アンテナ１２と、テレビ放送受信用アンテナ１３と、通信部１４と、位置測定部１５と、ＴＶ（テレビジョン）通信部１６と、制御部１７と、メモリ１８と、表示部１９と、操作部２０とから構成されている。
【００２５】
制御部１７はメモリ１８に格納されているプログラムを実行するＣＰＵ（中央処理装置）からなり、位置情報管理部１７１、ＥＰＧ（Ｅｌｅｃｔｒｉｃ  Ｐｒｏｇｒａｍ  Ｇｕｉｄｅ：電子番組表）情報管理部１７２、ＴＶ信号受信状態検出部１７３、ＴＶ用ＣＨ（チャネル）プリセット部１７４、スケジュール管理部１７５各々の処理動作を上記のプログラムを実行することで実現する。
【００２６】
メモリ１８は上記の制御部１７が実行するプログラムを格納するとともに、全国の地域毎のＥＰＧ用受信チャネル情報及び全国の地域毎の放送チャネル情報を格納するためのＴＶエリア情報１８１の領域を備えている。
【００２７】
携帯電話装置１は制御部１７配下の通信部１４に接続される通信用アンテナ１１を通して携帯電話としての通信を行う。また、携帯電話装置１は制御部１７配下の位置測定部１５に接続される位置取得用アンテナ１２を通して自装置の現在位置情報を取得する。この自装置の現在位置情報の取得方法としてはＧＰＳ（Ｇｌｏｂａｌ  Ｐｏｓｉｔｉｏｎｉｎｇ  Ｓｙｓｔｅｍ）等がある。さらに、携帯電話装置１は制御部１７配下のＴＶ通信部１６に接続されるテレビ放送受信用アンテナ１３を通してＴＶ用信号を受信する。
【００２８】
尚、携帯電話装置１は通信用アンテナ１１を通してインタネット（図示せず）に接続してＥＰＧ情報を取得したり、テレビ放送受信用アンテナ１３を通してＥＰＧ用チャネルからＥＰＧ情報を取得することが可能となっている。
【００２９】
携帯電話装置１の制御部１７は位置測定部１５が位置取得用アンテナ１２を通して自装置の現在位置情報を取得すると、その現在位置情報を基に現在位置の放送エリアで用いられているＥＰＧ情報を、通信部１４が通信用アンテナ１１を通してインタネットに接続することで取得したり、あるいはＴＶ通信部１６がテレビ放送受信用アンテナ１３を通してＥＰＧ用チャネルから取得する。
【００３０】
携帯電話装置１の使用者は制御部１７が取得したＥＰＧ情報を表示部１９に表示すると、そのＥＰＧ情報の中から所望の番組を操作部２０を通して選択することで、その所望の番組がＴＶ通信部１６にてテレビ放送受信用アンテナ１３を通して受信され、表示部１９に表示されることとなる。
【００３１】
これによって、本発明の実施の形態による携帯電話装置１では、上記のように、使用者が手動で地域情報等を入力することなく、放送エリア毎に異なるＥＰＧ情報を容易に取得することができる。尚、本発明の実施の形態では、携帯電話装置１について述べたが、上述した位置情報の取得機能、テレビ放送（ラジオ放送等も含む）の受信機能、インタネットへの接続機能等を備えていれば、ＰＤＡ（Ｐｅｒｓｏｎａｌ  Ｄｉｇｉｔａｌ  Ａｓｓｉｓｔａｎｔ）やモバイル向けのノート型パーソナルコンピュータ等の携帯情報端末装置にも適用可能である。
【実施例１】
【００３２】
図２は本発明の第１の実施例による携帯電話装置のＥＰＧ情報取得動作を示すフローチャートである。本発明の第１の実施例による携帯電話装置は上記の図１に示す本発明の実施の形態による携帯電話装置１と同様の構成となっているので、その構成についての説明は省略する。以下、図１及び図２を参照して本発明の第１の実施例による携帯電話装置のＥＰＧ情報取得動作について説明する。尚、図２に示す処理は制御部１７がメモリ１８に格納されたプログラムを実行することで実現される。
【００３３】
制御部１７は位置情報管理部１７１にて位置情報取得タイミングかどうかを判定し（図２ステップＳ１）、位置情報取得タイミングであれば、位置測定部１５及び位置取得用アンテナ１２を通して自装置の現在位置情報を取得する（図２ステップＳ２）。
【００３４】
この位置情報の取得方法としては、例えば、位置測定部１５にて行う。位置測定部１５はＧＰＳ等を利用して位置を測定する。また、位置情報の取得方法としては、位置測定部１５を使用しない方法もある。その方法では通信部１４を使用し、携帯電話ネットワークからＢＣＨ（Ｂｒｏａｄｃａｓｔ  ＣＨａｎｎｅｌ）等によって提供される位置情報を基に現在位置を特定してもよい。
【００３５】
あるいは、位置情報の取得方法としては、これら通信部１４と位置測定部１５とを両方使用しても良い。例えば、位置測定部１５にてＧＰＳからの情報を取得し、通信部１４にて携帯電話ネットワークへＧＰＳ情報を転送して現在位置情報を取得してもよい。
【００３６】
位置情報を取得するタイミングかどうかの判定は、まず携帯電話装置１内に位置情報を持っていなければ、位置情報取得タイミングとなる。また、携帯電話装置１内に位置情報を持つ場合でも、定期的に位置を確認する必要があるため、タイマ等を設定して定期的に位置情報を取得するようにしたほうがよい。
【００３７】
制御部１７は取得した位置情報をメモリ１８のＴＶエリア情報１８１内の情報と比較し、現在位置のＥＰＧ用チャネルをＥＰＧ情報管理部１７２にて管理する（図２ステップＳ３）。
【００３８】
一方、制御部１７は位置情報取得タイミングでなければ、ＥＰＧ取得タイミングかどうかを判定する（図２ステップＳ４）。制御部１７は携帯電話装置１内にＥＰＧ情報を持っていなければ、ＥＰＧ取得タイミングと判定し、ＥＰＧ情報を取得する（図２ステップＳ５）。その際、ＥＰＧ情報はＴＶ通信部１６を経由してＥＰＧ用チャネルから取得してもよいし、通信部１４を経由してインタネットに接続して取得してもよい。通信費用の観点からすると、ＥＰＧ用チャネルからの情報取得は無料であるのに対し、インタネットへの接続は通信料が発生する特徴がある。
【００３９】
また、制御部１７は携帯電話装置１内にＥＰＧ情報を持つ場合でも、一回に取得可能なＥＰＧ情報が有限であるため、必要なタイミングで情報を更新することが望ましい。ＥＰＧ用チャネルにてＥＰＧ情報が配信される時間が決まっている場合には、情報配信時間をＥＰＧ取得タイミングとしてもよい。インタネット経由の場合には、通常、いつでも情報の入手が可能であるため、タイマ等によって定期的に情報を取得するのが適当である。
【００４０】
制御部１７はＥＰＧ取得タイミングではないと判定すると、または上記のステップＳ５の処理が終了すると、上記のステップＳ１に戻って位置情報取得タイミングの判定以下の処理を繰り返し行う。
【００４１】
このように、本実施例では、上記の処理を行うことによって、携帯電話装置１の使用者が手動で位置情報等を設定することなく、携帯電話装置１が存在する現在位置に応じたＥＰＧ情報を容易に入手することができる。
【実施例２】
【００４２】
図３は本発明の第２の実施例による携帯電話装置のＥＰＧ情報取得動作を示すフローチャートである。本発明の第２の実施例による携帯電話装置は上記の図１に示す本発明の実施の形態による携帯電話装置１と同様の構成となっているので、その構成についての説明は省略する。以下、図１及び図３を参照して本発明の第２の実施例による携帯電話装置のＥＰＧ情報取得動作について説明する。尚、図３に示す処理は制御部１７がメモリ１８に格納されたプログラムを実行することで実現される。
【００４３】
制御部１７は位置情報管理部１７１にて位置情報取得タイミングかどうかを判定し（図３ステップＳ１１）、位置情報取得タイミングであれば、位置測定部１５及び位置取得用アンテナ１２を通して自装置の現在位置情報を取得する（図３ステップＳ１２）。
【００４４】
制御部１７は取得した位置情報をメモリ１８のＴＶエリア情報１８１内の情報と比較し、現在位置のＥＰＧ用チャネルに変更があった場合（図３ステップＳ１３）、現在位置のＥＰＧ用チャネルをＥＰＧ情報管理部１７２にて管理するとともに（図３ステップＳ１４）、通信部１４を経由してインタネットに接続してＥＰＧ情報を取得する（図３ステップＳ１５）。
【００４５】
一方、制御部１７は位置情報取得タイミングでなければ、ＥＰＧ取得タイミングかどうかを判定する（図３ステップＳ１６）。制御部１７は携帯電話装置１内にＥＰＧ情報を持っていなければ、ＥＰＧ取得タイミングと判定し、ＥＰＧ情報を取得する（図３ステップＳ１７）。その際、ＥＰＧ情報はＴＶ通信部１６を経由してＥＰＧ用チャネルから取得してもよいし、通信部１４を経由してインタネットに接続して取得してもよい。
【００４６】
制御部１７はＥＰＧ取得タイミングではないと判定すると、または上記のステップＳ１７の処理が終了すると、上記のステップＳ１１に戻って位置情報取得タイミングの判定以下の処理を繰り返し行う。
【００４７】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、位置情報の変更時、即座にＥＰＧ情報を入手することができる。つまり、本実施例では、状況に応じてＥＰＧ情報をＥＰＧ用チャネル、あるいはインタネットのいずれかの適切な方から取得することができる。
【実施例３】
【００４８】
図４は本発明の第３の実施例による携帯電話装置のＥＰＧ情報取得動作を示すフローチャートである。本発明の第３の実施例による携帯電話装置は上記の図１に示す本発明の実施の形態による携帯電話装置１と同様の構成となっているので、その構成についての説明は省略する。以下、図１及び図４を参照して本発明の第３の実施例による携帯電話装置のＥＰＧ情報取得動作について説明する。尚、図４に示す処理は制御部１７がメモリ１８に格納されたプログラムを実行することで実現される。
【００４９】
制御部１７は位置情報管理部１７１にて位置情報取得タイミングかどうかを判定し（図４ステップＳ２１）、位置情報取得タイミングであれば、位置測定部１５及び位置取得用アンテナ１２を通して自装置の現在位置情報を取得する（図４ステップＳ２２）。
【００５０】
制御部１７は取得した位置情報をメモリ１８のＴＶエリア情報１８１内の情報と比較し、現在位置のＥＰＧ用チャネルをＥＰＧ情報管理部１７２にて管理する（図４ステップＳ２３）。
【００５１】
一方、制御部１７は位置情報取得タイミングでなければ、ＥＰＧ取得タイミングかどうかを判定する（図４ステップＳ２４）。制御部１７は携帯電話装置１内にＥＰＧ情報を持っていなければ、ＥＰＧ取得タイミングと判定し、ＴＶ視聴中であるかどうかを判定する（図４ステップＳ２５）。
【００５２】
ＴＶ視聴中である場合には、ＴＶ通信部１６が使用中であるため、ＴＶ通信部１６によってＥＰＧ用チャネルを受信することができない（但し、複数のＴＶ通信部を有している場合にはＴＶ視聴中であっても、ＥＰＧ用チャネルの受信が可能）。よって、制御部１７はＴＶ視聴中であれば、ＥＰＧ情報の取得を行わずにステップＳ２１の処理へ戻り、位置情報取得タイミングかの判定以下の処理を繰り返し行う。
【００５３】
また、制御部１７はＴＶ視聴中でなければ、ＥＰＧ情報を取得する（図４ステップＳ２６）。その際、ＥＰＧ情報はＴＶ通信部１６を経由してＥＰＧ用チャネルから取得してもよいし、通信部１４を経由してインタネットに接続して取得してもよい。
【００５４】
制御部１７はＥＰＧ取得タイミングではないと判定すると、またはＴＶ視聴中であると判定すると、あるいは上記のステップＳ２６の処理が終了すると、上記のステップＳ２１に戻って位置情報取得タイミングの判定以下の処理を繰り返し行う。
【００５５】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、ＥＰＧ情報を取得するタイミングでＴＶ視聴をしている場合にも、ＥＰＧ情報を適切に取得することができる。
【実施例４】
【００５６】
図５は本発明の第４の実施例による携帯電話装置のＥＰＧ情報取得動作を示すフローチャートである。本発明の第４の実施例による携帯電話装置は上記の図１に示す本発明の実施の形態による携帯電話装置１と同様の構成となっているので、その構成についての説明は省略する。以下、図１及び図５を参照して本発明の第４の実施例による携帯電話装置のＥＰＧ情報取得動作について説明する。尚、図５に示す処理は制御部１７がメモリ１８に格納されたプログラムを実行することで実現される。
【００５７】
制御部１７は位置情報管理部１７１にて位置情報取得タイミングかどうかを判定し（図５ステップＳ３１）、位置情報取得タイミングであれば、位置測定部１５及び位置取得用アンテナ１２を通して自装置の現在位置情報を取得する（図５ステップＳ３２）。
【００５８】
制御部１７は取得した位置情報をメモリ１８のＴＶエリア情報１８１内の情報と比較し、現在位置のＥＰＧ用チャネルをＥＰＧ情報管理部１７２にて管理する（図５ステップＳ５３）。
【００５９】
一方、制御部１７は位置情報取得タイミングでなければ、ＥＰＧ取得タイミングかどうかを判定する（図５ステップＳ３４）。制御部１７は携帯電話装置１内にＥＰＧ情報を持っていなければ、ＥＰＧ取得タイミングと判定し、ＴＶ視聴中であるかどうかを判定する（図５ステップＳ３５）。
【００６０】
ＴＶ視聴中である場合には、ＴＶ通信部１６が使用中であるため、ＴＶ通信部１６によってＥＰＧ用チャネルを受信することができない（但し、複数のＴＶ通信部を有している場合にはＴＶ視聴中であっても、ＥＰＧ用チャネルの受信が可能）。よって、制御部１７はＴＶ視聴中であれば、通信部１４を経由してインタネットに接続してＥＰＧ情報を取得する（図５ステップＳ３７）。
【００６１】
また、制御部１７はＴＶ視聴中でなければ、ＥＰＧ情報を取得する（図５ステップＳ３６）。その際、ＥＰＧ情報はＴＶ通信部１６を経由してＥＰＧ用チャネルから取得してもよいし、通信部１４を経由してインタネットに接続して取得してもよい。
【００６２】
制御部１７はＥＰＧ取得タイミングではないと判定すると、または上記のステップＳ３６，Ｓ３７の処理が終了すると、上記のステップＳ３１に戻って位置情報取得タイミングの判定以下の処理を繰り返し行う。
【００６３】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、ＥＰＧ情報を取得するタイミングでＴＶ視聴をしている場合にも、ＥＰＧ情報を適切に取得することができる。
【実施例５】
【００６４】
図６は本発明の第５の実施例による携帯電話装置のＥＰＧ情報取得動作を示すフローチャートである。本発明の第５の実施例による携帯電話装置は上記の図１に示す本発明の実施の形態による携帯電話装置１と同様の構成となっているので、その構成についての説明は省略する。以下、図１及び図６を参照して本発明の第５の実施例による携帯電話装置のＥＰＧ情報取得動作について説明する。尚、図６に示す処理は制御部１７がメモリ１８に格納されたプログラムを実行することで実現される。
【００６５】
制御部１７は位置情報管理部１７１にて位置情報取得タイミングかどうかを判定し（図６ステップＳ４１）、位置情報取得タイミングであれば、位置測定部１５及び位置取得用アンテナ１２を通して自装置の現在位置情報を取得する（図６ステップＳ４２）。
【００６６】
制御部１７は取得した位置情報をメモリ１８のＴＶエリア情報１８１内の情報と比較し、現在位置のＥＰＧ用チャネルをＥＰＧ情報管理部１７２にて管理する（図６ステップＳ４３）。
【００６７】
一方、制御部１７は位置情報取得タイミングでなければ、ＥＰＧ取得タイミングかどうかを判定する（図６ステップＳ４４）。制御部１７は携帯電話装置１内にＥＰＧ情報を持っていなければ、ＥＰＧ取得タイミングと判定し、ＥＰＧ情報を取得する（図６ステップＳ４５）。その際、ＥＰＧ情報はＴＶ通信部１６を経由してＥＰＧ用チャネルから取得する。
【００６８】
制御部１７はＥＰＧ用チャネルからＥＰＧ情報を取得しており、その際に電波を使用しているため、必ずしもＥＰＧ情報を正常に受信することができるとは限らない。そこで、制御部１７はＥＰＧ情報を正常に受信できたかどうかを判定し（図６ステップＳ４６）、ＥＰＧ情報を正常に受信することができない場合、通信部１４を経由してインタネットに接続してＥＰＧ情報を取得する（図６ステップＳ４７）。この処理でも、ＥＰＧ情報を正常に受信することができない場合には、ステップＳ４７の処理を複数回リトライしても良い。
【００６９】
制御部１７はＥＰＧ取得タイミングではないと判定すると、またはＥＰＧ情報を正常に受信することができた場合、あるいは上記のステップＳ４７の処理が終了すると、上記のステップＳ４１に戻って位置情報取得タイミングの判定以下の処理を繰り返し行う。
【００７０】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、ＥＰＧ情報をＥＰＧ用チャネルから正常に受信することができなかった場合、インタネットを利用してＥＰＧ情報を取得することができる。
【実施例６】
【００７１】
図７は本発明の第６の実施例による携帯電話装置のＥＰＧ情報取得動作を示すフローチャートである。本発明の第６の実施例による携帯電話装置は上記の図１に示す本発明の実施の形態による携帯電話装置１と同様の構成となっているので、その構成についての説明は省略する。以下、図１及び図７を参照して本発明の第６の実施例による携帯電話装置のＥＰＧ情報取得動作について説明する。尚、図７に示す処理は制御部１７がメモリ１８に格納されたプログラムを実行することで実現される。
【００７２】
制御部１７は位置情報管理部１７１にて位置情報取得タイミングかどうかを判定し（図７ステップＳ５１）、位置情報取得タイミングであれば、位置測定部１５及び位置取得用アンテナ１２を通して自装置の現在位置情報を取得する（図７ステップＳ５２）。
【００７３】
制御部１７は取得した位置情報をメモリ１８のＴＶエリア情報１８１内の情報と比較し、現在位置のＥＰＧ用チャネルをＥＰＧ情報管理部１７２にて管理する（図７ステップＳ５３）。
【００７４】
一方、制御部１７は位置情報取得タイミングでなければ、ＥＰＧ取得タイミングかどうかを判定する（図７ステップＳ５４）。制御部１７は携帯電話装置１内にＥＰＧ情報を持っていなければ、ＥＰＧ取得タイミングと判定し、ＥＰＧ情報を取得する（図７ステップＳ５５）。その際、ＥＰＧ情報はＴＶ通信部１６を経由してＥＰＧ用チャネルから取得する。
【００７５】
制御部１７はＥＰＧ用チャネルからＥＰＧ情報を取得しており、その際に電波を使用しているため、必ずしもＥＰＧ情報を正常に受信することができるとは限らない。そこで、制御部１７はＥＰＧ情報を正常に受信できたかどうかを判定し（図７ステップＳ５６）、ＥＰＧ情報を正常に受信することができない場合、メモリ１８のＴＶエリア情報１８１に登録されているＴＶ放送チャネル全ての受信状況を確認する（図７ステップＳ５７）。
【００７６】
制御部１７はＴＶ放送チャネル全ての受信電界レベルの平均を計算し、平均受信電界レベルが閾値Ａより小さければ、携帯電話装置１で認識している位置情報が正しくない可能性がある。よって、制御部１７は平均受信電界レベルが閾値Ａより小さい場合（図７ステップＳ５８）、ステップＳ５２の処理に戻って、再度、位置情報を取得する。
【００７７】
制御部１７は平均受信電界レベルが閾値Ａ以上であれば（図７ステップＳ５８）、位置情報が正しいと判断し、通信部１４を経由してインタネットに接続してＥＰＧ情報を取得する（図７ステップＳ５９）。
【００７８】
制御部１７はＥＰＧ取得タイミングではないと判定すると、またはＥＰＧ情報を正常に受信することができた場合、あるいは上記のステップＳ５９の処理が終了すると、上記のステップＳ５１に戻って位置情報取得タイミングの判定以下の処理を繰り返し行う。
【００７９】
本実施例では、ＴＶ放送チャネル全ての受信電界レベルの平均を計算しているが、すべて受信良好とは限らないため、受信電界レベルの上位複数個の平均値を算出してもよい。また、ＥＰＧ用チャネルが正常に受信できている時の平均受信電界レベルを予め測定しておき、この予め測定しておいた平均受信電界レベルとの差について閾値Ａと比較してもよい。
【００８０】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、ＥＰＧ情報をＥＰＧ用チャネルから正常に受信することができなかった場合、インタネットを利用してＥＰＧ情報を取得することができる。
【実施例７】
【００８１】
図８は本発明の第７の実施例による携帯電話装置のＥＰＧ情報取得動作を示すフローチャートである。本発明の第７の実施例による携帯電話装置は上記の図１に示す本発明の実施の形態による携帯電話装置１と同様の構成となっているので、その構成についての説明は省略する。以下、図１及び図８を参照して本発明の第７の実施例による携帯電話装置のＥＰＧ情報取得動作について説明する。尚、図８に示す処理は制御部１７がメモリ１８に格納されたプログラムを実行することで実現される。
【００８２】
制御部１７は位置情報管理部１７１にて位置情報取得タイミングかどうかを判定し（図８ステップＳ６１）、位置情報取得タイミングであれば、携帯電話装置１の位置番号に変更があるかどうかを判断する（図８ステップＳ６２）。制御部１７は携帯電話装置１の位置番号に変更がない場合、携帯電話装置１の位置が変化していないと判断し、ステップＳ６１に戻って位置情報取得タイミングの判定を行うことで、次のステップＳ６３以降の位置情報取得処理を行わないようにしている。
【００８３】
上記のステップＳ６２の処理において、位置番号とは携帯電話装置１の位置登録エリアのことで、位置番号の変更ない場合には携帯電話装置１が同一の基地局下に属している。また、携帯電話装置１の位置登録エリアは、通常、ＴＶの放送エリアよりきわめて小さいため、位置番号に変化がなければ、ＴＶの放送エリアも変更されていないと判断してもほぼ問題ない。
【００８４】
制御部１７は携帯電話装置１の位置番号に変更がある場合、位置測定部１５及び位置取得用アンテナ１２を通して自装置の現在位置情報を取得する（図８ステップＳ６３）。制御部１７は取得した位置情報をメモリ１８のＴＶエリア情報１８１内の情報と比較し、現在位置のＥＰＧ用チャネルをＥＰＧ情報管理部１７２にて管理する（図８ステップＳ６４）。
【００８５】
一方、制御部１７は位置情報取得タイミングでなければ、ＥＰＧ取得タイミングかどうかを判定する（図８ステップＳ６５）。制御部１７は携帯電話装置１内にＥＰＧ情報を持っていなければ、ＥＰＧ取得タイミングと判定し、ＥＰＧ情報を取得する（図８ステップＳ６６）。その際、ＥＰＧ情報はＴＶ通信部１６を経由してＥＰＧ用チャネルから取得してもよいし、通信部１４を経由してインタネットに接続して取得してもよい。
【００８６】
制御部１７はＥＰＧ取得タイミングではないと判定すると、または上記のステップＳ６６の処理が終了すると、上記のステップＳ６１に戻って位置情報取得タイミングの判定以下の処理を繰り返し行う。
【００８７】
このように、本実施例では、上記の処理を行うことによって、携帯電話装置１の使用者が手動で位置情報等を設定することなく、携帯電話装置１が存在する現在位置に応じたＥＰＧ情報を容易に入手することができる。
【実施例８】
【００８８】
図９は本発明の第８の実施例による携帯電話装置のＥＰＧ情報取得動作を示すフローチャートである。本発明の第８の実施例による携帯電話装置は上記の図１に示す本発明の実施の形態による携帯電話装置１と同様の構成となっているので、その構成についての説明は省略する。以下、図１及び図９を参照して本発明の第８の実施例による携帯電話装置のＥＰＧ情報取得動作について説明する。尚、図９に示す処理は制御部１７がメモリ１８に格納されたプログラムを実行することで実現される。
【００８９】
制御部１７は位置情報管理部１７１にて位置情報取得タイミングかどうかを判定し（図９ステップＳ７１）、位置情報取得タイミングであれば、位置測定部１５及び位置取得用アンテナ１２を通して自装置の現在位置情報を取得する（図９ステップＳ７２）。
【００９０】
制御部１７は取得した位置情報をメモリ１８のＴＶエリア情報１８１内の情報と比較し、現在位置のＥＰＧ用チャネルをＥＰＧ情報管理部１７２にて管理する（図９ステップＳ７３）。
【００９１】
ＴＶの放送チャネルは位置によって異なるため、制御部１７は位置情報を取得した後、ＴＶエリア情報１８１から対応するＴＶの受信チャネルをプリセットする（図９ステップＳ７４）。本実施例では、この処理によって、わずらわしいプリセット操作を行う必要がなくなる。
【００９２】
一方、制御部１７は位置情報取得タイミングでなければ、ＥＰＧ取得タイミングかどうかを判定する（図９ステップＳ７５）。制御部１７は携帯電話装置１内にＥＰＧ情報を持っていなければ、ＥＰＧ取得タイミングと判定し、ＥＰＧ情報を取得する（図９ステップＳ７６）。その際、ＥＰＧ情報はＴＶ通信部１６を経由してＥＰＧ用チャネルから取得してもよいし、通信部１４を経由してインタネットに接続して取得してもよい。
【００９３】
制御部１７はＥＰＧ取得タイミングではないと判定すると、または上記のステップＳ７４，７６の処理が終了すると、上記のステップＳ７１に戻って位置情報取得タイミングの判定以下の処理を繰り返し行う。
【００９４】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、ＴＶの放送エリアに応じた受信チャネルのプリセットを行うことができる。
【実施例９】
【００９５】
図１０は本発明の第９の実施例による携帯電話装置のＥＰＧ情報取得動作を示すフローチャートである。本発明の第９の実施例による携帯電話装置は上記の図１に示す本発明の実施の形態による携帯電話装置１と同様の構成となっているので、その構成についての説明は省略する。以下、図１及び図１０を参照して本発明の第９の実施例による携帯電話装置のＥＰＧ情報取得動作について説明する。尚、図１０に示す処理は制御部１７がメモリ１８に格納されたプログラムを実行することで実現される。
【００９６】
制御部１７は位置情報管理部１７１にて位置情報取得タイミングかどうかを判定し（図１０ステップＳ８１）、位置情報取得タイミングであれば、位置測定部１５及び位置取得用アンテナ１２を通して自装置の現在位置情報を取得する（図１０ステップＳ８２）。
【００９７】
例えば、複数のＴＶ放送エリアの境目付近に携帯電話装置１が存在する場合、携帯電話装置１は複数のＴＶ放送エリアのチャネルを受信することがある。そこで、制御部１７はＴＶ放送エリアの全てのチャネルをスキャンし、受信可能なチャネルを確認する（図１０ステップＳ８３）。
【００９８】
制御部１７は受信できているＴＶエリア情報が１つかどうかを判定し（図１０ステップＳ８４）、ＴＶエリア情報が１つであれば、受信可能なＥＰＧ用チャネルを更新し、受信チャネルのプリセットを行う（図１０ステップＳ８５）。また、制御部１７は複数のＴＶエリア情報を受信できている場合、受信可能なＥＰＧ用チャネルを複数更新し、受信チャネルのプリセットを複数エリア分行う（図１０ステップＳ８６）。
【００９９】
上記のステップＳ８３の処理では、受信可能なＴＶエリアをすべて有効情報として処理しているが、受信状況のよい任意のエリア数だけのＥＰＧ用チャネル登録と受信チャネルのプリセットとを行ってもよい。
【０１００】
一方、制御部１７は位置情報取得タイミングでなければ、ＥＰＧ取得タイミングかどうかを判定する（図１０ステップＳ８７）。制御部１７は携帯電話装置１内にＥＰＧ情報を持っていなければ、ＥＰＧ取得タイミングと判定し、ＥＰＧ情報を取得する（図１０ステップＳ８８）。その際、ＥＰＧ情報はＴＶ通信部１６を経由してＥＰＧ用チャネルから取得してもよいし、通信部１４を経由してインタネットに接続して取得してもよい。
【０１０１】
制御部１７はＥＰＧ取得タイミングではないと判定すると、または上記のステップＳ８５，Ｓ８６，Ｓ８８の処理が終了すると、上記のステップＳ８１に戻って位置情報取得タイミングの判定以下の処理を繰り返し行う。
【０１０２】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、ＴＶ放送エリアの境界に位置する時、複数のＥＰＧ情報を取得することができる。
【実施例１０】
【０１０３】
図１１は本発明の第１０の実施例による携帯電話装置のＥＰＧ情報取得動作を示すフローチャートである。本発明の第１０の実施例による携帯電話装置は上記の図１に示す本発明の実施の形態による携帯電話装置１と同様の構成となっているので、その構成についての説明は省略する。以下、図１及び図１１を参照して本発明の第１０の実施例による携帯電話装置のＥＰＧ情報取得動作について説明する。尚、図１１に示す処理は制御部１７がメモリ１８に格納されたプログラムを実行することで実現される。
【０１０４】
制御部１７は位置情報管理部１７１にて位置情報取得タイミングかどうかを判定し（図１１ステップＳ９１）、位置情報取得タイミングであれば、位置測定部１５及び位置取得用アンテナ１２を通して自装置の現在位置情報を取得する（図１１ステップＳ９２）。
【０１０５】
制御部１７は取得した位置情報をメモリ１８のＴＶエリア情報１８１内の情報と比較し、現在位置のＥＰＧ用チャネルを得るとともに、そのＥＰＧ用チャネルが受信可能かどうかを判定する（図１１ステップＳ９３）。制御部１７はＥＰＧ用チャネルが受信可能であれば、受信可能なＥＰＧ用チャネルをＥＰＧ情報管理部１７２にて管理する（図１１ステップＳ９４）。
【０１０６】
一方、制御部１７は位置情報取得タイミングでなければ、ＥＰＧ取得タイミングかどうかを判定する（図１１ステップＳ９５）。制御部１７は携帯電話装置１内にＥＰＧ情報を持っていなければ、ＥＰＧ取得タイミングと判定し、ＥＰＧ情報を取得する（図１１ステップＳ９６）。その際、ＥＰＧ情報はＴＶ通信部１６を経由してＥＰＧ用チャネルから取得してもよいし、通信部１４を経由してインタネットに接続して取得してもよい。
【０１０７】
制御部１７はＥＰＧ取得タイミングではないと判定すると、または上記のステップＳ９４，Ｓ９６の処理が終了すると、上記のステップＳ９１に戻って位置情報取得タイミングの判定以下の処理を繰り返し行う。
【０１０８】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、受信できないＥＰＧ用チャネルでのＥＰＧ情報取得動作を行う必要がなくなる。よって、本実施例では、ＴＶ放送エリアの境界に位置する時、受信状況の良いＥＰＧ情報を取得することができる。
【実施例１１】
【０１０９】
図１２は本発明の第１１の実施例による携帯電話装置のＥＰＧ情報取得動作を示すフローチャートである。本発明の第１１の実施例による携帯電話装置は上記の図１に示す本発明の実施の形態による携帯電話装置１と同様の構成となっているので、その構成についての説明は省略する。以下、図１及び図１２を参照して本発明の第１１の実施例による携帯電話装置のＥＰＧ情報取得動作について説明する。尚、図１２に示す処理は制御部１７がメモリ１８に格納されたプログラムを実行することで実現される。
【０１１０】
制御部１７はスケジューラに行き先を入力し（図１２ステップＳ１０１）、行き先のＥＰＧ用チャネルをメモリ１８のＴＶエリア情報１８１から確認する（図１２ステップＳ１０２）。その後に、制御部１７は位置情報管理部１７１にて位置情報取得タイミングかどうかを判定し（図１２ステップＳ１０３）、位置情報取得タイミングであれば、位置測定部１５及び位置取得用アンテナ１２を通して自装置の現在位置情報を取得する（図１２ステップＳ１０４）。
【０１１１】
制御部１７は取得した位置情報をメモリ１８のＴＶエリア情報１８１内の情報と比較し、現在位置のＥＰＧ用チャネルをＥＰＧ情報管理部１７２にて管理する（図１２ステップＳ１０５）。
【０１１２】
制御部１７は位置情報からＥＰＧ用チャネルを更新した後、現在地が行き先と同じかどうかを判定する（図１２ステップＳ１０６）。制御部１７は現在地が行き先と同じであれば、ＥＰＧ情報を取得する（図１２ステップＳ１０７）。その際、ＥＰＧ情報はＴＶ通信部１６を経由してＥＰＧ用チャネルから取得してもよいし、通信部１４を経由してインタネットに接続して取得してもよい。
【０１１３】
一方、制御部１７は位置情報取得タイミングでなければ、ＥＰＧ取得タイミングかどうかを判定する（図１２ステップＳ１０８）。制御部１７は携帯電話装置１内にＥＰＧ情報を持っていなければ、ＥＰＧ取得タイミングと判定し、ＥＰＧ情報を取得する（図１２ステップＳ１０９）。その際、ＥＰＧ情報はＴＶ通信部１６を経由してＥＰＧ用チャネルからＥＰＧ情報を取得してもよいし、通信部１４を経由してインタネットに接続してＥＰＧ情報を取得してもよい。
【０１１４】
制御部１７は現在地が行き先と同じでなければ、またはＥＰＧ取得タイミングではないと判定すると、あるいは上記のステップＳ１０７，Ｓ１０９の処理が終了すると、上記のステップＳ１０３に戻って位置情報取得タイミングの判定以下の処理を繰り返し行う。
【０１１５】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、スケジューラとリンクすることで、移動先のＥＰＧ情報を得ることができる。
【実施例１２】
【０１１６】
図１３は本発明の第１２の実施例による携帯電話装置のＥＰＧ情報取得動作を示すフローチャートである。本発明の第１２の実施例による携帯電話装置は上記の図１に示す本発明の実施の形態による携帯電話装置１と同様の構成となっているので、その構成についての説明は省略する。以下、図１及び図１３を参照して本発明の第１２の実施例による携帯電話装置のＥＰＧ情報取得動作について説明する。尚、図１３に示す処理は制御部１７がメモリ１８に格納されたプログラムを実行することで実現される。
【０１１７】
制御部１７はスケジューラに行き先を入力し（図１３ステップＳ１１１）、行き先のＥＰＧ用チャネルをメモリ１８のＴＶエリア情報１８１から確認する（図１３ステップＳ１１２）。その後に、制御部１７は位置情報管理部１７１にて位置情報取得タイミングかどうかを判定し（図１３ステップＳ１１３）、位置情報取得タイミングであれば、位置測定部１５及び位置取得用アンテナ１２を通して自装置の現在位置情報を取得する（図１３ステップＳ１１４）。
【０１１８】
制御部１７は取得した位置情報をメモリ１８のＴＶエリア情報１８１内の情報と比較し、現在位置のＥＰＧ用チャネルをＥＰＧ情報管理部１７２にて管理する（図１３ステップＳ１１５）。
【０１１９】
制御部１７は位置情報からＥＰＧ用チャネルを更新した後、現在地が行き先と同じかどうかを判定する（図１３ステップＳ１１６）。制御部１７は現在地が行き先と同じであれば、ＴＶ通信部１６を経由してＥＰＧ用チャネルからＥＰＧ情報を取得する（図１３ステップＳ１１７）。また、制御部１７は現在地が行き先と同じでなければ、通信部１４を経由してインタネットに接続してＥＰＧ情報を取得する（図１３ステップＳ１１８）。
【０１２０】
一方、制御部１７は位置情報取得タイミングでなければ、ＥＰＧ取得タイミングかどうかを判定する（図１３ステップＳ１１９）。制御部１７は携帯電話装置１内にＥＰＧ情報を持っていなければ、ＥＰＧ取得タイミングと判定し、ＥＰＧ情報を取得する（図１３ステップＳ１２０）。その際、ＥＰＧ情報はＴＶ通信部１６を経由してＥＰＧ用チャネルから取得してもよいし、通信部１４を経由してインタネットに接続して取得してもよい。
【０１２１】
制御部１７はＥＰＧ取得タイミングではないと判定すると、あるいは上記のステップＳ１１７，Ｓ１１８，Ｓ１２０の処理が終了すると、上記のステップＳ１１３に戻って位置情報取得タイミングの判定以下の処理を繰り返し行う。
【０１２２】
このように、本実施例では、上記の処理を行うことによって、携帯電話装置１の使用者が手動で位置情報等を設定することなく、携帯電話装置１が存在する現在位置に応じたＥＰＧ情報を容易に入手することができるとともに、スケジューラとリンクすることで、移動先のＥＰＧ情報を得ることができるとともに、行き先に到着する前でもＥＰＧ情報の取得が可能となる。
【図面の簡単な説明】
【０１２３】
【図１】本発明の実施の形態による携帯電話装置の構成例を示すブロック図である。
【図２】本発明の第１の実施例による携帯電話装置のＥＰＧ情報取得動作を示すフローチャートである。
【図３】本発明の第２の実施例による携帯電話装置のＥＰＧ情報取得動作を示すフローチャートである。
【図４】本発明の第３の実施例による携帯電話装置のＥＰＧ情報取得動作を示すフローチャートである。
【図５】本発明の第４の実施例による携帯電話装置のＥＰＧ情報取得動作を示すフローチャートである。
【図６】本発明の第５の実施例による携帯電話装置のＥＰＧ情報取得動作を示すフローチャートである。
【図７】本発明の第６の実施例による携帯電話装置のＥＰＧ情報取得動作を示すフローチャートである。
【図８】本発明の第７の実施例による携帯電話装置のＥＰＧ情報取得動作を示すフローチャートである。
【図９】本発明の第８の実施例による携帯電話装置のＥＰＧ情報取得動作を示すフローチャートである。
【図１０】本発明の第９の実施例による携帯電話装置のＥＰＧ情報取得動作を示すフローチャートである。
【図１１】本発明の第１０の実施例による携帯電話装置のＥＰＧ情報取得動作を示すフローチャートである。
【図１２】本発明の第１１の実施例による携帯電話装置のＥＰＧ情報取得動作を示すフローチャートである。
【図１３】本発明の第１２の実施例による携帯電話装置のＥＰＧ情報取得動作を示すフローチャートである。
【符号の説明】
【０１２４】
１  携帯電話装置
１１  通信用アンテナ
１２  位置取得用アンテナ
１３  テレビ放送受信用アンテナ
１４  通信部
１５  位置測定部
１６  ＴＶ通信部
１７  制御部
１８  メモリ
１９  表示部
２０  操作部
１７１  位置情報管理部
１７２  ＥＰＧ情報管理部
１７３  ＴＶ信号受信状態検出部
１７４  ＴＶ用ＣＨプリセット部
１７５  スケジュール管理部
１８１  ＴＶエリア情報
【図１】
2006295261.tif 000003
【図２】
2006295261.tif 000004
【図３】
2006295261.tif 000005
【図４】
2006295261.tif 000006
【図５】
2006295261.tif 000007
【図６】
2006295261.tif 000008
【図７】
2006295261.tif 000009
【図８】
2006295261.tif 000010
【図９】
2006295261.tif 000011
【図１０】
2006295261.tif 000012
【図１１】
2006295261.tif 000013
【図１２】
2006295261.tif 000014
【図１３】
2006295261.tif 000015